(57)【要約】【課題】ユーザ装置と通信を行う基地局装置において、ユーザ装置へのページングに起因して当該ユーザ装置から送信される接続要求を適切に選別し、破棄等の制御を行うことを可能とする技術を提供する。【解決手段】基地局装置において、コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御手段と、前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御手段とを備える。【選択図】図５
2015207884.tif 000002
【特許請求の範囲】
【請求項１】
移動通信システムにおけるコアネットワークと接続され、ユーザ装置と通信を行う基地局装置であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御手段と、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御手段と
を備えることを特徴とする基地局装置。
【請求項２】
前記所定の条件は、前記ページング要求に含まれる優先度情報から決定される前記ページング要求の優先度が予め定めた優先度よりも高いことである
ことを特徴とする請求項１に記載の基地局装置。
【請求項３】
前記接続要求破棄制御手段は、前記接続要求メッセージに含まれるユーザ装置識別子と一致するユーザ装置識別子が前記記憶手段に格納されており、かつ、前記接続要求メッセージに含まれる通信確立理由が所定値である場合に、前記接続要求メッセージを破棄しないと決定する
ことを特徴とする請求項１又は２に記載の基地局装置。
【請求項４】
前記所定値は、高優先又は緊急を示す値以外の値であることを特徴とする請求項３に記載の基地局装置。
【請求項５】
前記ページング送信制御手段は、前記基地局装置における処理負荷が予め定めた閾値よりも大きい場合に、低優先のページング要求を破棄する
ことを特徴とする請求項１ないし４のうちいずれか１項に記載の基地局装置。
【請求項６】
前記ページング送信制御手段は、前記処理負荷の値として、破棄せずに受け付けたページング要求の数を用いる
ことを特徴とする請求項５に記載の基地局装置。
【請求項７】
移動通信システムにおけるコアネットワークと接続され、ユーザ装置と通信を行う基地局装置が実行する呼受付判定方法であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御ステップと、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御ステップと
を備えることを特徴とする呼受付判定方法。
【請求項８】
前記所定の条件は、前記ページング要求に含まれる優先度情報から決定される前記ページング要求の優先度が予め定めた優先度よりも高いことである
ことを特徴とする請求項７に記載の呼受付判定方法。
【請求項９】
前記接続要求破棄制御ステップにおいて、前記基地局装置は、前記接続要求メッセージに含まれるユーザ装置識別子と一致するユーザ装置識別子が前記記憶手段に格納されており、かつ、前記接続要求メッセージに含まれる通信確立理由が所定値である場合に、前記接続要求メッセージを破棄しないと決定する
ことを特徴とする請求項７又は８に記載の呼受付判定方法。
【発明の詳細な説明】
【技術分野】
【０００１】
本発明は、移動通信システムにおける基地局装置ｅＮＢにおいて、トラヒックの増大時等に、処理負荷を低減させるために規制を行う技術に関連するものである。
【背景技術】
【０００２】
基地局装置ｅＮＢとユーザ装置ＵＥが無線通信を行う移動通信システムにおいて、災害やイベント等により、例えばトラヒックがバースト的に発生した場合に、基地局装置ｅＮＢの装置能力限界により、呼処理信号が破棄される可能性がある。
【０００３】
接続中のユーザ装置ＵＥの呼処理信号を途中で破棄することは、移動通信のサービスとして望ましくないため、呼処理負荷が装置能力以上となる場合は規制を発動して新規呼の受付を破棄することで、既存呼を守る方式を採用することが望ましい。なお、信号を廃棄することで輻輳を回避する先行技術文献として特許文献１がある。
【先行技術文献】
【特許文献】
【０００４】
【特許文献１】特開２０１３−０３８５７３号公報
【発明の概要】
【発明が解決しようとする課題】
【０００５】
ＬＴＥに準拠した移動通信システムでは、ユーザ装置ＵＥが着信を受ける場合等に、基地局装置ｅＮＢからユーザ装置ＵＥにページング情報（より詳細には、ｐａｇｉｎｇ  ｍｅｓｓａｇｅに入れられたｐａｇｉｎｇ  ｒｅｃｏｒｄ）が送信され、自分宛のページング情報を受信したユーザ装置ＵＥは、ランダムアクセス手順を実行して基地局装置ｅＮＢとの接続を行う。図１に、ページングからランダムアクセス手順までの概要を示す。
【０００６】
まず、コアネットワークのＭＭＥからぺージング要求が基地局装置ｅＮＢに送信され（ステップ１）、基地局装置ｅＮＢからユーザ装置ＵＥにページング情報が送信される（ステップ２）。ＵＥ−ＩＤにより自分がページングを受けていることを検知したユーザ装置ＵＥは、ＰＲＡＣＨ（Ｐｈｙｓｉｃａｌ  Ｒａｎｄｏｍ  Ａｃｃｅｓｓ  Ｃｈａｎｎｅｌ）を使用して、プレアンブル（ｐｒｅａｍｂｌｅ）を送信する（ステップ３）。基地局装置ｅＮＢがプレアンブルを検出すると、その応答であるＲＡＣＨ応答（ＲＡＣＨ  ｒｅｓｐｏｎｓｅ）メッセージを送信する（ステップ４）。ＲＡＣＨ応答メッセージを受信したユーザ装置ＵＥは、ＲＲＣ接続要求（ＲＲＣ  ｃｏｎｎｅｃｔｉｏｎ  ｒｅｑｕｅｓｔ）メッセージを送信する（ステップ５）。基地局装置ｅＮＢは、ＲＲＣ接続要求メッセージを受信後、コネクション確立のためのセル設定情報等を含むＲＲＣ接続セットアップ（ＲＲＣ  ｃｏｎｎｅｃｔｉｏｎ  ｓｅｔｕｐ）メッセージを送信する（ステップ６）。自身のＵＥ−ＩＤに関連付いたＲＲＣ接続セットアップメッセージを受信したユーザ装置ＵＥは、コネクションを確立する。ここで、呼接続のために基地局装置ｅＮＢのリソースが確保されるのはＲＲＣ接続要求メッセージを受け付けた後である。
【０００７】
従って、トラヒック増大時に、基地局装置ｅＮＢの呼処理の処理負荷を低減するために規制をかけて新規呼を破棄する場合には、ＲＲＣ接続要求メッセージの破棄を行い、その後の接続処理を行わせないことが望ましい。なお、ここでの規制判定対象のＲＲＣ接続要求メッセージは、図１に示したように、着信を受けたユーザ装置ＵＥが送信するＲＲＣ接続要求メッセージのみならず、発信を行うユーザ装置ＵＥが送信するＲＲＣ接続要求メッセージも含むものである。
【０００８】
移動通信システムが扱う呼には、通常の通話等に用いられる呼の他に、緊急呼もしくは優先呼がある。しかし、基地局装置ｅＮＢの処理負荷を低減するために、規制をかけて、一律にＲＲＣ接続要求メッセージの破棄を行ってしまうと、破棄されるべきでない緊急呼／優先呼も破棄される可能性があるという問題がある。
【０００９】
ここで、ユーザ装置ＵＥから送信されるＲＲＣ接続要求メッセージには、ＥｓｔａｂｌｉｓｈｍｅｎｔＣａｕｓｅと呼ばれる優先度を示す情報が含まれており、ＥｓｔａｂｌｉｓｈｍｅｎｔＣａｕｓｅに基づいて、例えば高優先の呼は破棄しないといったように、破棄するかどうかの判定を行うことは可能である。
【００１０】
しかし、ＥｓｔａｂｌｉｓｈｍｅｎｔＣａｕｓｅでは、優先端末発一般端末着の呼と一般端末発一般端末着の呼が同じ通常呼のＥｓｔａｂｌｉｓｈｍｅｎｔＣａｕｓｅ（ＭＴ―Ａｃｃｅｓｓ）となる。すなわち、ＲＲＣ接続要求メッセージのＥｓｔａｂｌｉｓｈｍｅｎｔＣａｕｓｅでは、優先端末発一般端末着の呼と一般端末発一般端末着の呼の優先度の違いを識別できず、優先度の高い優先端末発一般端末着の呼を一般端末発一般端末着の呼と同様に破棄してしまうことが生じ得る。
【００１１】
このように、ＥｓｔａｂｌｉｓｈｍｅｎｔＣａｕｓｅのみを利用した破棄判定においては、適切に呼の破棄判定を行うことができない場合があるという問題がある。
【００１２】
本発明は上記の点に鑑みてなされたものであり、移動通信システムの基地局装置において、ユーザ装置へのページングに起因して当該ユーザ装置から送信される接続要求を適切に選別し、破棄等の制御を行うことを可能とする技術を提供することを目的とする。
【課題を解決するための手段】
【００１３】
本発明の実施の形態によれば、移動通信システムにおけるコアネットワークと接続され、ユーザ装置と通信を行う基地局装置であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御手段と、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御手段とを備える基地局装置が提供される。
【００１４】
また、本発明の実施の形態によれば、移動通信システムにおけるコアネットワークと接続され、ユーザ装置と通信を行う基地局装置が実行する呼受付判定方法であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御ステップと、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御ステップとを備える呼受付判定方法が提供される。
【発明の効果】
【００１５】
本発明の実施の形態によれば、移動通信システムの基地局装置において、ユーザ装置へのページングに起因して当該ユーザ装置から送信される接続要求を適切に選別し、破棄等の制御を行うことが可能となる。
【図面の簡単な説明】
【００１６】
【図１】ページングに起因するランダムアクセス手順を示す図である。
【図２】本発明の実施の形態に係る移動通信システムの構成例である。
【図３】処理シーケンス例を示す図である。
【図４】ＲＲＣ接続要求メッセージの例を示す図である。
【図５】基地局装置ｅＮＢの機能構成図である。
【図６】基地局装置ｅＮＢの他の機能構成図である。
【図７】基地局装置ｅＮＢの処理フローである。
【図８】他の処理シーケンス例を示す図である。
【図９】ページング破棄判定処理の概要を説明するための図である。
【図１０】ページング破棄判定処理の概要を説明するための図である。
【図１１】ページング破棄制御処理を示すフローチャートである。
【発明を実施するための形態】
【００１７】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る移動通信システムはＬＴＥに準拠した方式のシステムを想定しているが、本発明はＬＴＥに限定されるわけではなく、他の方式にも適用可能である。
【００１８】
本明細書及び特許請求の範囲において、「ＬＴＥ」は、ＬＴＥ向けＥＰＣも含む意味で使用し、３ＧＰＰのリリース８、又は９に対応する通信方式のみならず、３ＧＰＰのリリース１０、１１、又は１２もしくはそれ以降に対応する通信方式も含む広い意味で使用する。
【００１９】
（システム構成）
図２に、本発明の実施の形態に係る移動通信システムの構成例を示す。図２に示すように、本実施の形態に係る移動通信システムは、セルを形成する基地局装置ｅＮＢと、セルに在圏して基地局装置ｅＮＢと無線通信を行うユーザ装置ＵＥを含む。図２には、基地局装置ｅＮＢとユーザ装置ＵＥが１台ずつ示されているが、これらは代表を示しており、それぞれ複数であってもよい。基地局装置ｅＮＢは、ＭＭＥを含むコアネットワークＣＮと接続されている。本実施の形態では、当該移動通信システムは、少なくともＬＴＥに準拠した動作が可能である。すなわち、着信時にはページング及びＲＡＣＨの手順が実行される。
【００２０】
（処理シーケンス例）
次に、図３を参照して本実施の形態に係る処理シーケンス例を説明する。図３に示すように、ＭＭＥからページング要求（具体的には、Ｓ１−ＡＰ：Ｐａｇｉｎｇであるが、これに限られない）が基地局装置ｅＮＢに送られる（ステップ１０１）。
【００２１】
ページング要求には、ページング先のユーザ装置ＵＥのＵＥ固有情報、ページング周期、ページングを行う先のエリア情報（ＵＥが存在する可能性のあるエリアの情報）等が含まれている。上記のＵＥ固有情報は、例えばＳ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ）であるが、これに限られるわけではなく、ＵＥを識別でき、ＲＲＣ接続要求メッセージに含まれる情報であればどの情報をＵＥ固有情報として使用してもよい。
【００２２】
また、本実施の形態では、ＭＭＥから基地局装置ｅＮＢに送信されるページング要求に優先度情報が含まれる。本実施の形態における優先度情報としては、新たに定義した優先度情報を用いてもよいし、例えば、ＭＰＳ（Ｍｕｌｔｉｍｅｄｉａ  ｐｒｉｏｒｉｔｙ  ｓｅｒｖｉｃｅ）でのＰｒｉｏｒｉｔｙ  Ｌｅｖｅｌ（８段階）を利用してもよい。優先度情報が規定する優先度のレベル数に特に限定はないが、例えば、優先、非優先の２段階、高優先、中優先、低優先等の３段階、その他（上記８段階）等がある。また、上記８段階を、高優先、中優先、低優先の３段階に解釈して使用してもよい。優先度や、後述する閾値等は、基地局装置ｅＮＢにおいて適宜設定可能である。
【００２３】
前述したように、ＥｓｔａｂｌｉｓｈｍｅｎｔＣａｕｓｅでは、優先端末発一般端末着の呼と一般端末発一般端末着の呼の優先度の違いを識別できないことを考慮して、本実施の形態では、優先度情報は、優先端末から発信され、一般端末に着信する呼の優先度を、一般端末発一般端末着の呼の優先度と区別できるように定義されている。つまり、優先端末発一般端末着の呼のほうが一般端末発一般端末着の呼よりも高優先であるように定義されている。また、優先端末発一般端末着の呼については、後述するＵＥ固有情報の格納がされるものとする。
【００２４】
なお、ページング要求に含まれる情報から、優先度を判定できる場合には、優先度情報をｅｘｐｌｉｃｉｔにページング要求に含めなくてもよい。つまり、ページング要求にｉｍｐｌｉｃｉｔに優先度情報を含めることが可能である。
【００２５】
ページング要求を受信した基地局装置ｅＮＢは、ページング要求に含まれる優先度情報に基づいて、ページング要求の優先度を判定し、高優先である場合に、ページング要求に含まれるＵＥ固有情報を記憶手段に格納（保存）する（ステップ１０２）。なお、高優先であるとは、例えば、予め定めた優先度の閾値よりも優先度が高い場合であるとしてもよいし、高優先、中優先、低優先の３段階に分けた場合の「高優先」であってもよいし、その他、任意の定義が可能である。「優先度が高い」とは、優先度が数値で表わされる場合において、優先度の数値の大小に必ずしも対応しない。例えば、数値が小さいほど優先度が高い場合等がある。
【００２６】
そして、基地局装置ｅＮＢは、ページング要求に含まれる情報から、ページング情報（ｐａｇｉｎｇ  ｒｅｃｏｒｄ）を送信するフレーム番号及びフレーム内のサブフレーム番号（これをページング送信期間と呼ぶ）を算出し、当該ページング送信期間にページング情報をページングメッセージに乗せて送信する（ステップ１０３）。
【００２７】
ページングメッセージを受信したユーザ装置ＵＥは、図１に示したステップ３、４を経て、ＲＲＣ接続要求メッセージを基地局装置ｅＮＢに送信する（ステップ１０４）。ＲＲＣ接続要求メッセージには、ＵＥ固有情報が含まれている。参考として、図４に、ＬＴＥにおいて規定されているＲＲＣ接続要求メッセージのＡＳＮ．１表記例を示す。図４に示すＳ−ＴＭＳＩはＵＥ固有情報の例である。
【００２８】
図３のステップ１０４にてＲＲＣ接続要求メッセージを受信した基地局装置ｅＮＢは、ＲＲＣ接続要求メッセージを受け付けて以降の接続処理を継続するか、それとも、ＲＲＣ接続要求メッセージを破棄するかどうかの接続要求受付判定を行う（ステップ１０５）。
【００２９】
本実施の形態においては、基本的に接続要求受付判定をＲＲＣ接続要求メッセージに含まれるＥｓｔａｂｌｉｓｈｍｅｎｔＣａｕｓｅ（通信確立理由）に基づき行う。また、ステップ１０５における前提として、例えば基地局装置ｅＮＢの処理負荷が高い状態にあり、優先呼又は緊急呼以外のＲＲＣ接続要求メッセージを破棄するという規制を行っているものとする。
【００３０】
ステップ１０５において、基地局装置ｅＮＢは、受信したＲＲＣ接続要求メッセージに含まれるＥｓｔａｂｌｉｓｈｍｅｎｔＣａｕｓｅが、優先呼又は緊急呼を示すもの（ｈｉｇｈＰｒｉｏｒｉｔｙＡｃｃｅｓｓ又はＥｍｅｒｇｅｎｃｙ）である場合は、当該ＲＲＣ接続要求メッセージを規制対象外とし、破棄せずに接続処理を継続する。
【００３１】
また、ＥｓｔａｂｌｉｓｈｍｅｎｔＣａｕｓｅがＭＴ  Ａｃｃｅｓｓであり、かつ、ＲＲＣ接続要求メッセージに含まれるＵＥ固有情報が、記憶手段に保存されているＵＥ固有情報と一致する場合には、当該ＲＲＣ接続要求メッセージに係る呼を優先呼又は緊急呼と判断し、ＲＲＣ接続要求メッセージを規制対象外とし、破棄せずに接続処理を継続する。
【００３２】
前述したように、優先端末発一般端末着の呼と一般端末発一般端末着の呼では、ともにＥｓｔａｂｌｉｓｈｍｅｎｔＣａｕｓｅがＭＴ  Ａｃｃｅｓｓとなり、ＥｓｔａｂｌｉｓｈｍｅｎｔＣａｕｓｅのみからでは優先端末発一般端末着の呼と一般端末発一般端末着の呼を区別できないが、本実施の形態では、優先端末発一般端末着の呼を優先呼（高優先）であるとし、ステップ１０２においてＵＥ固有情報を保存したため、ステップ１０５において、ＥｓｔａｂｌｉｓｈｍｅｎｔＣａｕｓｅがＭＴ  Ａｃｃｅｓｓである場合でも、ＲＲＣ接続要求メッセージが優先呼に係るものであることを判別でき、規制対象外とすることができる。
【００３３】
なお、上記の判定は一例に過ぎない。ＲＲＣ接続要求メッセージに含まれるＵＥ固有情報が、記憶手段に保存されているＵＥ固有情報と一致する場合において、ＥｓｔａｂｌｉｓｈｍｅｎｔＣａｕｓｅがＭＴ  Ａｃｃｅｓｓ以外の所定値である場合に、ＲＲＣ接続要求メッセージを規制対象外であると判定してもよい。上記所定値は、任意に定義可能である。また、ＲＲＣ接続要求メッセージに含まれるＵＥ固有情報が、記憶手段に保存されているＵＥ固有情報と一致する場合において、ＲＲＣ接続要求メッセージに含まれるＥｓｔａｂｌｉｓｈｍｅｎｔＣａｕｓｅ以外の所定の情報が、所定値である場合に、ＲＲＣ接続要求メッセージを規制対象外であると判定してもよい。
【００３４】
ステップ１０５において、ＲＲＣ接続要求メッセージを破棄しない場合、基地局装置ｅＮＢはユーザ装置ＵＥにＲＲＣ接続セットアップメッセージを送信し、接続処理を継続する（ステップ１０６）。
【００３５】
（装置構成）
図５に、本実施の形態に係る基地局装置ｅＮＢの機能構成図を示す。図５は、本発明の実施の形態に係る機能のみを示すものであり、基地局装置ｅＮＢは、ＬＴＥに準拠した通信を実現するための図示しない機能も含むものである。
【００３６】
図５に示すように、本実施の形態に係る基地局装置ｅＮＢは、ＣＮ通信部１０、ページングメッセージ送信制御部１１、ＵＥ固有情報格納部１２、ＵＥ通信部１３、接続要求破棄判定部１４、接続処理部１５を含む。
【００３７】
ＣＮ通信部１０は、コアネットワーク側の装置との通信を行う。ページングメッセージ送信制御部１１は、ＭＭＥから受信したページング要求に含まれる優先度情報により優先度を判定して、高優先であればＵＥ固有情報をＵＥ固有情報格納部１２に格納するとともに、ページング要求からページングメッセージを作成し、当該ページングメッセージをＵＥ通信部１３によりユーザ装置ＵＥに送信する。また、ページングメッセージ送信制御部１１は、後述するページング要求の破棄制御を行う機能も備えている。
【００３８】
ＵＥ通信部１３は、ユーザ装置ＵＥとの通信を行う機能部である。接続要求破棄判定部１４は、ユーザ装置ＵＥから受信するＲＲＣ接続要求メッセージに含まれているＵＥ固有情報とＥｓｔａｂｌｉｓｈｍｅｎｔＣａｕｓｅに基づいて、前述したステップ１０５における判定を行う。
【００３９】
なお、接続要求破棄判定部１４は、基地局装置ｅＮＢの処理負荷（例：接続ＵＥ数、ＣＰＵ使用率、通信データ量等）を取得（測定）する機能を備え、処理負荷に応じて規制処理を行うかどうか、つまり、優先度の高くない呼に係るＲＲＣ接続要求メッセージの破棄を行うかどうかを判断してもよいし、外部（オペレーションシステム等）から規制指示を受信したことに応じて、規制処理を行うこととしてもよい。接続処理部１５は、ＲＲＣ接続要求メッセージが破棄されない場合において接続処理を行う機能部である。
【００４０】
図６に、本実施の形態に係る基地局装置ｅＮＢの他の機能構成図として、実装例に近い構成図を示す。図６に示す基地局装置ｅＮＢは、無線信号の送受信を行うアンテナ２０、アンテナに接続されるインターフェース部２１、ベースバンド処理部２２、装置制御部２３、コアネットワークと接続されるインターフェース部２４を含む。
【００４１】
ベースバンド処理部２２は、レイヤ１、レイヤ２の処理を行う。すなわち、ベースバンド処理部２２は、物理レイヤ、ＭＡＣレイヤ、ＲＬＣレイヤ、及びＰＤＣＰレイヤの処理を行う。ベースバンド処理部２２は、例えばＤＳＰ（Ｄｉｇｉｔａｌ  Ｓｉｇｎａｌ  Ｐｒｏｃｅｓｓｏｒ）により実現されるが、これに限られるわけではない。装置制御部２３は、ＲＲＣメッセージに基づく呼接続制御や監視制御等のレイヤ３以上の処理を行う。
【００４２】
本実施の形態では、図５に示した機能構成図における本発明に関わる機能部であるページングメッセージ送信制御部１１と接続要求破棄判定部１４を装置制御部２３で実現することを想定しているが、それに限られるわけではない。例えば、ＵＥ固有情報をページング要求から取得し、ＵＥ固有情報格納部１２に格納し、ＲＲＣ接続要求メッセージからＵＥ固有情報を取得し、ＵＥ固有情報格納部１２に格納されたＵＥ固有情報と照合して、一致するかどうかの判定を行う処理をベースバンド処理部２２で実行するといったように、一部の処理をベースバンド処理部２２で行うこととしてもよい。
【００４３】
（基地局装置ｅＮＢの処理フロー）
次に、図７を参照して基地局装置ｅＮＢの動作例を説明する。以下の例においても、基地局装置ｅＮＢの負荷が高い状態にあり（もしくは、外部から規制指示を受けており）、優先呼又は緊急呼以外のＲＲＣ接続要求メッセージを破棄するという規制を行っているものとする。
【００４４】
基地局装置ｅＮＢのページングメッセージ送信制御部１１が、ＣＮ通信部１０を介してＭＭＥからページング要求を受信する（ステップ２０１）。ページングメッセージ送信制御部１１は、ページング要求に含まれる優先度情報から、ページング要求の優先度を判定し、優先度が高優先である場合に（ステップ２０２のＹｅｓ）、ページング要求に含まれるＵＥ固有情報をＵＥ固有情報格納部１２に格納する（ステップ２０３）。ページング要求の優先度が高優先でない場合（ステップ２０２のＮｏ）は、ステップ２０３を行わずにステップ２０４に進む。
【００４５】
ステップ２０４において、ページングメッセージ送信制御部１１は、ページングメッセージを作成し、ＵＥ通信部１３を介してユーザ装置ＵＥに送信する。
【００４６】
その後、基地局装置ｅＮＢはユーザ装置ＵＥからＲＲＣ接続要求メッセージを受信し、ＲＲＣ接続要求メッセージが接続要求破棄判定部１４に渡される（ステップ２０５）。
【００４７】
接続要求破棄判定部１４は、ＲＲＣ接続要求メッセージに含まれるＵＥ固有情報（ユーザ装置識別子）と一致するＵＥ固有情報がＵＥ固有情報格納部１２に格納されているか否かをチェックする。そして、接続要求破棄判定部１４は、ＲＲＣ接続要求メッセージに含まれるＵＥ固有情報と一致するＵＥ固有情報がＵＥ固有情報格納部１２に格納されており、なおかつ、ＲＲＣ接続要求メッセージに含まれるＥｓｔａｂｌｉｓｈｍｅｎｔＣａｕｓｅが所定値であるかどうかを判定する（ステップ２０６）。この「所定値」は、本実施の形態ではＭＴ  Ａｃｃｅｓｓであるが、前述したように、これに限られるわけではなく、高優先又は緊急を示す値以外の任意の値を「所定値」とすることができる。また、「所定値」を複数とし、複数の所定値のうちいずれかの所定値に該当すればよいとする判定制御としてもよい。
【００４８】
ステップ２０６における判定結果がＹｅｓである場合、接続要求破棄判定部１４は、ステップ２０５で受信したＲＲＣ接続要求メッセージは、規制対象ではないと判断して、ＲＲＣ接続要求メッセージを接続処理部１５に渡して接続処理を継続させる（ステップ２０７）。
【００４９】
一方、ステップ２０６における判定結果がＮｏである場合、すなわち、ＲＲＣ接続要求メッセージに含まれるＵＥ固有情報と一致するＵＥ固有情報がＵＥ固有情報格納部１２に格納されていないか、又は、ＥｓｔａｂｌｉｓｈｍｅｎｔＣａｕｓｅが所定値でない場合において、接続要求破棄判定部１４は、ＥｓｔａｂｌｉｓｈｍｅｎｔＣａｕｓｅの値に基づいて、ＲＲＣ接続要求メッセージを破棄するかどうかを判定する。例えば、ＥｓｔａｂｌｉｓｈｍｅｎｔＣａｕｓｅがＥｍｅｒｇｅｎｃｙ又はｈｉｇｈＰｒｉｏｒｉｔｙＡｃｃｅｓｓである場合は破棄せずに接続処理を継続し、これら以外であれば破棄するといった判定を行う。
【００５０】
（他の処理シーケンス例）
次に、他の処理シーケンス例を図８を参照して説明する。図８に示すように、ＭＭＥからページング要求が基地局装置ｅＮＢに送られる（ステップ３０１）。図３に示した例と同様に、ページング要求には優先度情報が含まれている。
【００５１】
ページング要求を受信した基地局装置ｅＮＢは、ページング要求に含まれる優先度情報に基づいて、ユーザ装置ＵＥに送信するページング情報に優先度情報を設定し（ステップ３０２）、当該優先度情報を含むページング情報からなるページングメッセージをユーザ装置ＵＥに送信する（ステップ３０３）。
【００５２】
上記ページング情報に設定する優先度情報は、ページング要求に含まれる優先度情報と同じであってもよいし、異なっていてもよい。例えば、ページング要求に含まれる優先度情報から発側優先クラス（発側ＵＥの優先度）を判定し、発側優先クラスを優先度情報としてページング情報に設定して送信することとしてもよい。
【００５３】
優先度情報を含むページングメッセージを受信したユーザ装置ＵＥは、図１に示したステップ３、４を経て、当該優先度情報を含むＲＲＣ接続要求メッセージを基地局装置ｅＮＢに送信する（ステップ３０４）。
【００５４】
図８のステップ３０４にてＲＲＣ接続要求メッセージを受信した基地局装置ｅＮＢは、ＲＲＣ接続要求メッセージを受け付けて、以降の接続処理を継続するか、それとも、ＲＲＣ接続要求メッセージを破棄するかどうかの接続要求受付判定を行う（ステップ３０５）。
【００５５】
本例においても、基本的に接続要求受付判定をＲＲＣ接続要求メッセージに含まれるＥｓｔａｂｌｉｓｈｍｅｎｔＣａｕｓｅに基づき行う。また、ステップ３０５における前提として、基地局装置ｅＮＢの負荷が高い状態にあり、優先呼又は緊急呼以外のＲＲＣ接続要求メッセージを破棄するという規制を行っているものとする。
【００５６】
ステップ３０５において、基地局装置ｅＮＢは、受信したＲＲＣ接続要求メッセージに含まれるＥｓｔａｂｌｉｓｈｍｅｎｔＣａｕｓｅが、優先呼又は緊急呼を示すもの（ｈｉｇｈＰｒｉｏｒｉｔｙＡｃｃｅｓｓ又はＥｍｅｒｇｅｎｃｙ）である場合は、当該ＲＲＣ接続要求メッセージを破棄せずに接続処理を継続する。
【００５７】
また、例えばＥｓｔａｂｌｉｓｈｍｅｎｔＣａｕｓｅがＭＴ  Ａｃｃｅｓｓの場合であっても、ＲＲＣ接続要求メッセージに優先度情報が含まれており、当該優先度情報が優先呼又は緊急呼を示すものである場合には、当該ＲＲＣ接続要求メッセージを破棄せずに接続処理を継続する。例えば、当該優先度情報が発側優先クラスであって、発側優先クラスが、優先端末や緊急端末を示すクラスである場合は当該ＲＲＣ接続要求メッセージを破棄せずに接続処理を継続する。
【００５８】
前述したように、優先端末発一般端末着の呼と一般端末発一般端末着の呼では、ともにＥｓｔａｂｌｉｓｈｍｅｎｔＣａｕｓｅがＭＴ  Ａｃｃｅｓｓとなり、ＥｓｔａｂｌｉｓｈｍｅｎｔＣａｕｓｅのみからでは優先端末発一般端末着の呼と一般端末発一般端末着の呼を区別できないが、本例では、ページングメッセージ／ＲＲＣ接続要求メッセージに優先度情報を含めることとしたため、ステップ３０５において、ＥｓｔａｂｌｉｓｈｍｅｎｔＣａｕｓｅがＭＴ  Ａｃｃｅｓｓである場合でも、ＲＲＣ接続要求メッセージが優先呼に係るものであることを判別でき、規制対象外とすることができる。
【００５９】
ステップ３０５において、ＲＲＣ接続要求メッセージを破棄しない場合、基地局装置ｅＮＢはユーザ装置ＵＥにＲＲＣ接続セットアップメッセージを送信し、接続処理を継続させる（ステップ３０６）。
【００６０】
（ページング要求の破棄制御例）
これまでに説明した例では、規制の際に、ＲＲＣ接続要求メッセージを破棄する処理を行っていたが、優先度に応じて、ページング要求を破棄することとしてもよい。つまり、優先度に応じて、ページング情報をユーザ装置ＵＥに送信しない制御を行うこととしてもよい。ここでの制御は主に基地局装置ｅＮＢにおけるページングメッセージ送信制御部１１により行われる。
【００６１】
本例においても、ページング要求には優先度情報が含まれる。前述したように、優先度情報の種類には特に限定はないが、本例では、優先度情報は、１〜８の値をとり得るＰｒｉｏｒｉｔｙ  Ｌｅｖｅｌであり、Ｐｒｉｏｒｉｔｙ  Ｌｅｖｅｌ＝１、２、３の場合を高優先とする。高優先は、例えば、優先呼や緊急呼に対応させる。
【００６２】
また、Ｐｒｉｏｒｉｔｙ  Ｌｅｖｅｌ＝４、５、６の場合を中優先とする。中優先は、例えば、一般の音声呼に対応させる。更に、Ｐｒｉｏｒｉｔｙ  Ｌｅｖｅｌ＝７、８又はＰｒｉｏｒｉｔｙ  Ｌｅｖｅｌ未設定の場合を低優先とする。低優先は、例えば、一般のデータ通信呼に対応させる。
【００６３】
図９、図１０は、本実施の形態におけるページングメッセージ送信制御部１１が実行するページング破棄制御処理の概要を説明するための図である。
【００６４】
本実施の形態では、基地局装置ｅＮＢは、ページング要求をＭＭＥから受信して、破棄せずに受け付けられたときに、ページング要求の数をカウントする（１増加させる）。この数をＣｏｕｎｔＰとする。また、低優先ページング要求に関する受付判定のための閾値１、及び、低優先と中優先のページング要求を破棄する閾値２を予め設定する。
【００６５】
本実施の形態では、ページングメッセージ送信制御部１１が、ページング要求を受付ＯＫである（破棄しない）と判定した場合にＣｏｕｎｔｐを１増加させる。また、ページングメッセージ送信制御部１１は、予め定めた時間Ｔ（秒）で満了する周期タイマを備え、Ｃｏｕｎｔｐはタイマが満了する度（Ｔ秒になる度）にリセットされて０になる。
【００６６】
なお、上記のカウント、閾値設定は、基地局装置ｅＮＢ単位でもよいし、基地局装置ｅＮＢが管理するセル単位でもよい。
【００６７】
図９に示すように、本実施の形態では、中優先ページング要求は、Ｃｏｕｎｔｐ≦閾値２の場合に受付ＯＫとする。低優先ページング要求は、Ｃｏｕｎｔｐ≦閾値１の場合に受付ＯＫとする。閾値１≦Ｃｏｕｎｔｐ≦閾値２である場合は、中優先ページング要求は受付ＯＫであるが、低優先ページング要求は破棄される。なお、この例では、高優先ページング要求は常に受け付けることとしているが、更に高い閾値を設けて、高優先ページング要求も破棄する制御を行ってもよい。
【００６８】
図１０は、Ｃｏｕｎｔｐの値を時系列で表現した図である。図１０に示すように、周期カウンタが満了する度にＣｏｕｎｔｐは０になり、順次増加して、閾値１を超えると低優先ページング要求を破棄し、閾値２を超えると低優先ページング要求と中優先ページング要求を破棄する。なお、カウンタの周期は、例えば、基地局装置ｅＮＢが設置されるエリアの着信呼の単位時間あたりの発生数等に基づいて決めればよい。
【００６９】
図１１のフローチャートを参照して、ページングメッセージ送信制御部１１の動作例を説明する。まず、ページングメッセージ送信制御部１１は、Ｃｏｕｎｔｐ≦閾値２であるか否かを判定する（ステップ４０１）。Ｃｏｕｎｔｐ≦閾値２でない場合、ページング要求が高優先でなければ当該ページング要求を破棄する（ステップ４０２）。Ｃｏｕｎｔｐ≦閾値２であればステップ４０３に進む。ステップ４０３において、ページング要求が低優先以外であれば、ページングメッセージ送信制御部１１は、Ｃｏｕｎｔｐに１を加える（ステップ４０４）。なお、図１１は、カウント周期内での破棄判定及びカウント方法を示すフローであるため、ステップ４０４の後、終了としているが、基地局装置ｅＮＢの処理としては、ページングメッセージ送信制御部１１によりページングメッセ―ジが作成され、ユーザ装置ＵＥへの送信が行われる。
【００７０】
ステップ４０３において、ページング要求が低優先である場合、ステップ４０５に進む。ステップ４０５において、Ｃｏｕｎｔｐ≦閾値１であるか否かが判定される。Ｃｏｕｎｔｐ≦閾値１でなければ、ページングメッセージ送信制御部１１は、ページング要求を破棄する（ステップ４０７）。Ｃｏｕｎｔｐ≦閾値１であれば、ページングメッセージ送信制御部１１は、破棄を行わずに、Ｃｏｕｎｔｐに１を加える（ステップ４０６）。
【００７１】
なお、上記の例では、処理負荷を、受信したページング要求の数で判定することとしているが、処理負荷を他の指標で判定してもよい。例えば、図６に示した基地局装置ｅＮＢにおける装置制御部２３が有するＣＰＵの使用率で処理負荷を判定してもよい。
【００７２】
（実施の形態のまとめ、効果等）
以上、説明したように、本実施の形態において、移動通信システムにおけるコアネットワークと接続され、ユーザ装置と通信を行う基地局装置であって、コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御手段と、前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御手段とを備える基地局装置が提供される。
【００７３】
当該構成により、ユーザ装置へのページングに起因して当該ユーザ装置から送信される接続要求を適切に選別し、破棄等の制御を行うことが可能となる。
【００７４】
前記所定の条件は、例えば、前記ページング要求に含まれる優先度情報から決定される前記ページング要求の優先度が予め定めた優先度よりも高いことである。これにより、高優先のページング要求に基づき送信された接続要求を選別することが可能となる。
【００７５】
前記接続要求破棄制御手段は、前記接続要求メッセージに含まれるユーザ装置識別子と一致するユーザ装置識別子が前記記憶手段に格納されており、かつ、前記接続要求メッセージに含まれる通信確立理由が所定値である場合に、前記接続要求メッセージを破棄しないと決定することができる。これにより、例えば、優先端末発一般端末着の呼を一般端末発一般端末着の呼と区別して、規制対象外とすることができる。
【００７６】
前記所定値は、例えば、高優先又は緊急を示す値以外の値である。これにより、通信確立理由が高優先又は緊急を示す値以外であっても、高優先の呼を選別して、規制対象外とすることができる。
【００７７】
また、前記ページング送信制御手段は、前記基地局装置における処理負荷が予め定めた閾値よりも大きい場合に、低優先のページング要求を破棄することができる。これにより、基地局装置の処理負荷を効果的に削減することができる。また、前記ページング送信制御手段は、前記処理負荷の値として、例えば破棄せずに受け付けたページング要求の数を用いることができる。これにより、適切にページングに起因する処理負荷を求めることができる。
【００７８】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、基地局装置は機能的なブロック図を用いて説明されたが、そのような装置はハードウェアで、ソフトウェアで又はそれらの組み合わせで実現されてもよい。本発明の実施の形態で説明した処理に対応する動作を実行するソフトウェア（基地局装置が有するプロセッサで実行される）は、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００７９】
ＵＥ  ユーザ装置
ｅＮＢ  基地局装置
１０  ＣＮ通信部
１１  ページングメッセージ送信制御部
１２  ＵＥ固有情報格納部
１３  ＵＥ通信部
１４  接続要求破棄判定部
１５  接続処理部
２０  アンテナ
２１  インターフェース部
２２  ベースバンド処理部
２３  装置制御部
２４  インターフェース部
【図１】
2015207884.tif 000003
【図２】
2015207884.tif 000004
【図３】
2015207884.tif 000005
【図４】
2015207884.tif 000006
【図５】
2015207884.tif 000007
【図６】
2015207884.tif 000008
【図７】
2015207884.tif 000009
【図８】
2015207884.tif 000010
【図９】
2015207884.tif 000011
【図１０】
2015207884.tif 000012
【図１１】
2015207884.tif 000013
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
移動通信システムにおけるコアネットワークと接続され、ユーザ装置と通信を行う基地局装置であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御手段と、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御手段とを備え、
前記所定の条件は、前記ページング要求に含まれる優先度情報から決定される前記ページング要求の優先度が予め定めた優先度よりも高いことである
ことを特徴とする基地局装置。
【請求項２】
前記接続要求破棄制御手段は、前記接続要求メッセージに含まれるユーザ装置識別子と一致するユーザ装置識別子が前記記憶手段に格納されており、かつ、前記接続要求メッセージに含まれる通信確立理由が所定値である場合に、前記接続要求メッセージを破棄しないと決定する
ことを特徴とする請求項１に記載の基地局装置。
【請求項３】
前記所定値は、高優先又は緊急を示す値以外の値であることを特徴とする請求項２に記載の基地局装置。
【請求項４】
前記ページング送信制御手段は、前記基地局装置における処理負荷が予め定めた閾値よりも大きい場合に、低優先のページング要求を破棄する
ことを特徴とする請求項１ないし３のうちいずれか１項に記載の基地局装置。
【請求項５】
前記ページング送信制御手段は、前記処理負荷の値として、破棄せずに受け付けたページング要求の数を用いる
ことを特徴とする請求項４に記載の基地局装置。
【請求項６】
移動通信システムにおけるコアネットワークと接続され、ユーザ装置と通信を行う基地局装置が実行する呼受付判定方法であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御ステップと、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御ステップとを備え、
前記所定の条件は、前記ページング要求に含まれる優先度情報から決定される前記ページング要求の優先度が予め定めた優先度よりも高いことである
ことを特徴とする呼受付判定方法。
【請求項７】
前記接続要求破棄制御ステップにおいて、前記基地局装置は、前記接続要求メッセージに含まれるユーザ装置識別子と一致するユーザ装置識別子が前記記憶手段に格納されており、かつ、前記接続要求メッセージに含まれる通信確立理由が所定値である場合に、前記接続要求メッセージを破棄しないと決定する
ことを特徴とする請求項６に記載の呼受付判定方法。
【手続補正２】
【補正対象書類名】明細書
【補正対象項目名】００１３
【補正方法】変更
【補正の内容】
【００１３】
本発明の実施の形態によれば、移動通信システムにおけるコアネットワークと接続され、ユーザ装置と通信を行う基地局装置であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御手段と、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御手段とを備え、
前記所定の条件は、前記ページング要求に含まれる優先度情報から決定される前記ページング要求の優先度が予め定めた優先度よりも高いことである基地局装置が提供される。
【手続補正３】
【補正対象書類名】明細書
【補正対象項目名】００１４
【補正方法】変更
【補正の内容】
【００１４】
また、本発明の実施の形態によれば、移動通信システムにおけるコアネットワークと接続され、ユーザ装置と通信を行う基地局装置が実行する呼受付判定方法であって、
コアネットワークからユーザ装置識別子を含むページング要求を受信し、当該ページング要求が所定の条件を満たす場合に、前記ユーザ装置識別子を記憶手段に格納し、前記ページング要求に基づき作成されるページングメッセージを前記ユーザ装置に送信するページング送信制御ステップと、
前記ページングメッセージを受信した前記ユーザ装置から接続要求メッセージを受信し、当該接続要求メッセージに含まれるユーザ装置識別子と一致するユーザ装置識別子が前記記憶手段に格納されているか否かを判定し、判定結果に基づいて、当該接続要求メッセージを破棄するか否かを決定する接続要求破棄制御ステップとを備え、
前記所定の条件は、前記ページング要求に含まれる優先度情報から決定される前記ページング要求の優先度が予め定めた優先度よりも高いことである呼受付判定方法が提供される。